(57)【特許請求の範囲】
【請求項１】
複数の弁を開閉することにより、複数の吐水モードを切換可能なハンドシャワーヘッドであって、
使用者によって把持される把持部及びこの把持部の先端側に設けられた散水部を有するシャワーヘッド本体と、
上記把持部に設けられ、吐水モードを切り換えるために使用者によって操作される単一の操作部と、
この操作部に対する操作によって移動されるカム部材と、
このカム部材に当接することにより、所定の方向に夫々移動される複数の弁作動軸と、
これらの弁作動軸に夫々対応して設けられ、上記弁作動軸の移動に伴って開弁位置と閉弁位置の間で夫々移動可能な複数の弁体と、を有し、
上記カム部材は、第１の弁体のみが開弁位置になる第１の吐水モード位置から、第２の弁体のみが開弁位置になる第２の吐水モード位置に移動される途中において、上記第１の弁体及び上記第２の弁体の少なくとも一方が常に開弁された状態となるように構成されていることを特徴とするハンドシャワーヘッド。
【請求項２】
上記カム部材は、上記各弁作動軸が当接する頂上部及びこの頂上部の両側に形成された斜面部を備え、上記カム部材が上記第１の吐水モード位置にある状態においては、上記頂上部が上記第１の弁体に対応して設けられた第１の弁作動軸に当接して上記第１の弁体を開弁位置に保持し、上記カム部材が上記第１の吐水モード位置から上記第２の吐水モード位置に移動される途中においては、上記頂上部の両側の上記各斜面部が、上記第１の弁作動軸及び上記第２の弁体に対応して設けられた第２の弁作動軸に夫々当接して、上記第１の弁体及び上記第２の弁体が開弁された状態にされる請求項１記載のハンドシャワーヘッド。
【請求項３】
上記頂上部は所定の幅をもって形成され、上記カム部材の所定範囲の移動に対し、上記弁体は開弁位置に維持される請求項２記載のハンドシャワーヘッド。
【請求項４】
上記第１の吐水モード位置から上記第２の吐水モード位置への切り換え途中において、上記第１の弁体が開弁されることにより形成される流路断面積と、上記第２の弁体が開弁されることにより形成される流路断面積の和が、上記第１の弁体のみが開弁位置にある状態における流路断面積よりも大きくなる請求項１乃至３の何れか１項に記載のハンドシャワーヘッド。
【請求項５】
上記各弁体は、対応する各弁作動軸の同一の移動距離に対して、同じ距離だけ移動されるように夫々構成されている請求項１乃至４の何れか１項に記載のハンドシャワーヘッド。
【請求項６】
上記カム部材は所定の中心軸線を中心に回動するように設けられ、上記各弁作動軸は上記中心軸線を中心とする円の円周上に配置されている請求項１乃至５の何れか１項に記載のハンドシャワーヘッド。
【請求項７】
上記操作部は、概ね円板状の円板部及びその直径に沿って設けられた指かけ凸部を備えると共に、上記円板部の中心軸線を中心に回動可能に設けられ、上記指かけ凸部は上記散水部から上記把持部に向けて高さが高くなるように形成されている請求項１乃至６の何れか１項に記載のハンドシャワーヘッド。
【請求項８】
さらに、クリック機構を有し、上記操作部は各吐水モードを切り換えるように回動可能に設けられ、上記クリック機構は、上記操作部が所定の使用位置に回動されると、上記操作部を所定の力で上記使用位置に保持する請求項１乃至７の何れか１項に記載のハンドシャワーヘッド。
【発明の詳細な説明】
【技術分野】
【０００１】
本発明は、ハンドシャワーヘッドに関し、特に、複数の弁を開閉することにより、複数の吐水モードを切換可能なハンドシャワーヘッドに関する。
【背景技術】
【０００２】
近年、複数の吐水モードを切り換えて使用することができるハンドシャワーヘッドが開発されている。このようなハンドシャワーヘッドにおいては、シャワーヘッド本体内に内蔵された弁体を操作することにより、内部の水路を切り換えて、吐水形態を変更している。
【０００３】
特許第５１４１９９８号公報（特許文献１）には、ハンドシャワーヘッドが記載されている。このハンドシャワーヘッドの把持部には吐水モードを切り換えるための操作部が設けられており、この操作部を押圧操作することにより、各吐水モードが切り換えられる。このハンドシャワーヘッドにおいては、操作部が押し込まれると、この操作に対応したリフト弁が開弁される一方、従来設定されていた吐水モードに対応するリフト弁が閉弁され、吐水モードが切り換えられる。これにより、ハンドシャワーヘッドの手元で所望の吐水モードに切り換えることができる。
【先行技術文献】
【特許文献】
【０００４】
【特許文献１】特許第５１４１９９８号公報
【発明の概要】
【発明が解決しようとする課題】
【０００５】
しかしながら、特許第５１４１９９８号公報記載のハンドシャワーヘッドにおいては、全てのリフト弁が閉弁された状態から吐水を開始する場合、又は、第１の吐水モードから第２の吐水モードに切り換える途中で、両方のリフト弁が閉弁状態となった場合に、切り換えに必要な操作力が大きくなるという問題がある。即ち、各吐水モードを設定するための全ての弁が閉弁された状態となると、ハンドシャワーヘッドに供給される湯水の給水圧がシャワーヘッド本体内に籠もり、この状態から弁体を開弁させるために必要な操作力が大きくなる。このような問題は、ハンドシャワーヘッドに供給される湯水の給水圧が高い場合や、各吐水モードを切り換える弁体が給水圧によって閉弁位置に保持されるセルフシール式の弁が使用されている場合に、特に顕著になる。
【０００６】
従って、本発明は、小さな操作力で吐水モードを切り換えることができるハンドシャワーヘッドを提供することを目的としている。
【課題を解決するための手段】
【０００７】
上述した課題を解決するために、本発明は、複数の弁を開閉することにより、複数の吐水モードを切換可能なハンドシャワーヘッドであって、使用者によって把持される把持部及びこの把持部の先端側に設けられた散水部を有するシャワーヘッド本体と、把持部に設けられ、吐水モードを切り換えるために使用者によって操作される単一の操作部と、この操作部に対する操作によって移動されるカム部材と、このカム部材に当接することにより、所定の方向に夫々移動される複数の弁作動軸と、これらの弁作動軸に夫々対応して設けられ、弁作動軸の移動に伴って開弁位置と閉弁位置の間で夫々移動可能な複数の弁体と、を有し、カム部材は、第１の弁体のみが開弁位置になる第１の吐水モード位置から、第２の弁体のみが開弁位置になる第２の吐水モード位置に移動される途中において、第１の弁体及び第２の弁体の少なくとも一方が常に開弁された状態となるように構成されていることを特徴としている。
【０００８】
このように構成された本発明においては、使用者が操作部を操作することによってカム部材が移動され、これに当接している弁作動軸が移動される。この弁作動軸の移動に伴って、複数の弁体が開弁位置と閉弁位置の間で移動され、吐水モードが切り換えられる。シャワーヘッド本体に供給された湯水は、切り換えられた吐水モードで散水部から吐水される。また、第１の吐水モードから第２の吐水モードへの切り換え途中においては、第１の吐水モードにおいて開弁される第１の弁体及び第２の吐水モードにおいて開弁される第２の弁体の少なくとも一方が常に開弁された状態となる。
【０００９】
このように構成された本発明によれば、吐水モードの切り換え途中において、弁体の少なくとも一方が常に開弁されているので、シャワーヘッド本体内の圧力が過度に上昇することがなく、小さな操作力で吐水モードを切り換えることができる。吐水モードの切り換え途中において全ての弁が閉弁状態となると、シャワーヘッド本体の内圧は給水圧と同程度まで急激に上昇する。このような状態においては、高くなった内圧が弁体に作用し、弁体を開弁位置まで移動させるために要する操作力が非常に大きくなり、操作性が低下する。本発明のハンドシャワーヘッドにおいては、吐水モードの切り換え途中においても常に何れかの弁が開弁されているので、シャワーヘッド本体内の圧力は給水圧よりも十分に低く維持され、小さな操作力で円滑に吐水モードを切り換えることができる。また、吐水モードの切り換え途中において全ての弁が閉弁されると、ウォータハンマ現象により異音が発生する場合があるが、本発明のハンドシャワーヘッドによれば、このような異音の発生を防止することができる。
【００１０】
本発明において、好ましくは、カム部材は、各弁作動軸が当接する頂上部及びこの頂上部の両側に形成された斜面部を備え、カム部材が第１の吐水モード位置にある状態においては、頂上部が第１の弁体に対応して設けられた第１の弁作動軸に当接して第１の弁体を開弁位置に保持し、カム部材が第１の吐水モード位置から第２の吐水モード位置に移動される途中においては、頂上部の両側の各斜面部が、第１の弁作動軸及び第２の弁体に対応して設けられた第２の弁作動軸に夫々当接して、第１の弁体及び第２の弁体が開弁された状態にされる。
【００１１】
このように構成された本発明によれば、吐水モードの切り換え途中における各弁の開度が、カム部材の形状と各弁作動軸の配置により正確に規定されるので、全ての弁が同時に閉弁される状態を確実に回避することができる。
【００１２】
本発明において、好ましくは、頂上部は所定の幅をもって形成され、カム部材の所定範囲の移動に対し、弁体は開弁位置に維持される。
このように構成された本発明によれば、カム部材が所定範囲の位置にあるとき弁体が開弁位置に維持されるので、各部品の寸法誤差、形状誤差に影響されることなく、弁体を安定して開弁位置に保持することができる。
【００１３】
本発明において、好ましくは、第１の吐水モード位置から第２の吐水モード位置への切り換え途中において、第１の弁体が開弁されることにより形成される流路断面積と、第２の弁体が開弁されることにより形成される流路断面積の和が、第１の弁体のみが開弁位置にある状態における流路断面積よりも大きくなる。
【００１４】
このように構成された本発明によれば、吐水モードの切り換え途中において、開弁されている流路断面積の和が大きくなる。このため、切り換え途中において吐水される総流量が増加するので、シャワーを浴びている使用者は吐水モードの切り換えが開始されたことを感覚的に認識することができる。また、切り換え途中においても十分な流量で吐水が継続されるため、切り換え途中の状態でハンドシャワーヘッドを使用することもできる。
【００１５】
本発明において、好ましくは、各弁体は、対応する各弁作動軸の同一の移動距離に対して、同じ距離だけ移動されるように夫々構成されている。
このように構成された本発明によれば、各弁体は弁作動軸の同一の移動距離に対して同じ距離だけ移動されるので、同一のカムで各吐水モードにおける吐水流量を一様に制御することができる。
【００１６】
本発明において、好ましくは、カム部材は所定の中心軸線を中心に回動するように設けられ、各弁作動軸は中心軸線を中心とする円の円周上に配置されている。
このように構成された本発明によれば、各弁作動軸が中心軸線を中心とする円の円周上に配置されているので、各弁作動軸間の距離を十分に確保しながら、吐水モードの切り換え機構全体をコンパクトに配置することができる。これにより、ハンドシャワーヘッドの操作性を向上させることができる。
【００１７】
本発明において、好ましくは、操作部は、概ね円板状の円板部及びその直径に沿って設けられた指かけ凸部を備えると共に、円板部の中心軸線を中心に回動可能に設けられ、指かけ凸部は散水部から把持部に向けて高さが高くなるように形成されている。
【００１８】
このように構成された本発明によれば、操作部の指かけ凸部が散水部から把持部に向けて高さが高くなるように形成されているので、回動される操作部がどの方向に向けられた状態にあるかを、使用者は指の感触で認識することができ、ハンドシャワーヘッドの操作性を向上させることができる。
【００１９】
本発明において、好ましくは、さらに、クリック機構を有し、操作部は各吐水モードを切り換えるように回動可能に設けられ、クリック機構は、操作部が所定の使用位置に回動されると、操作部を所定の力で使用位置に保持する。
【００２０】
このように構成された本発明によれば、クリック機構が備えられているので、使用者は、吐水モードの切り換えが開始されたこと、吐水モードの切り換えが完了したことを、指の感触で確実に認識することができ、ハンドシャワーヘッドの操作性を向上させることができる。
【発明の効果】
【００２１】
本発明のハンドシャワーヘッドによれば、小さな操作力で吐水モードを切り換えることができる。
【図面の簡単な説明】
【００２２】
【図１】本発明の実施形態によるハンドシャワーヘッドの外観を示す斜視図である。
【図２】本発明の実施形態によるハンドシャワーヘッドの断面図である。
【図３】本発明の実施形態によるハンドシャワーヘッドに内蔵されている水路切換装置の部分を拡大して示す断面図である。
【図４】本発明の実施形態によるハンドシャワーヘッドに内蔵されている水路切換装置の分解斜視図である。
【図５】本発明の実施形態によるハンドシャワーヘッド内において切り換えられる水路を示す断面図である。
【図６】本発明の実施形態において、水路切換装置に内蔵されている弁体の斜視図である。
【図７】本発明の実施形態において、水路切換装置に備えられているカム部材の下面側を示す斜視図である。
【図８】図７におけるVIII−VIII線に沿ったカム部材の断面図である。
【図９】本発明の実施形態において、水路切換装置の作用を示す説明図である。
【図１０】本発明の実施形態において、第１の吐水モードから第２の吐水モードへの切り換え途中における、各弁の流路断面積の変化を示す図である。
【発明を実施するための形態】
【００２３】
次に、添付図面を参照して、本発明の実施形態によるハンドシャワーヘッドを説明する。
図１は、本発明の実施形態によるハンドシャワーヘッドの外観を示す斜視図である。
【００２４】
図１に示すように、本実施形態のハンドシャワーヘッド１は、シャワーヘッド本体２と、このシャワーヘッド本体２の先端部に取り付けられた散水板４と、３つの吐水モードを切り換える操作部６と、を有する。
シャワーヘッド本体２は、使用者が把持する把持部２ａと、この把持部２ａの先端側に設けられ、把持部２ａよりも太くなった散水部２ｂと、を有する。また、散水部２ｂには、散水板４が取り付けられる円形の開口部２ｃが形成されている。また、シャワーヘッド本体２の基端側には、シャワーホース（図示せず）が接続される。
【００２５】
散水板４は、概ね円形の板であり、その中央部には散水ノズルが回転しながら吐水を行うジャイロビート吐水用の散水孔４ａが設けられ、散水孔４ａの周囲にはスプレー吐水用の多数の散水孔４ｂが設けられ、シャワーヘッド本体２の先端側には、滝状吐水用の円弧状の散水孔４ｃが設けられている。
【００２６】
操作部６は、シャワーヘッド本体２の把持部２ａの開口部２ｃ側に配置された円形のツマミである。操作部６は、円板状の円板部６ａ及びその直径に沿って設けられた直線状の指かけ凸部６ｂを備えており、指かけ凸部６ｂは散水部２ｂから把持部２ａに向けて高さが高くなるように形成されている。この操作部６を、円板部６ａの中心軸線を中心に各方向に回動させることにより、シャワーヘッド本体２に内蔵された水路切換装置が作動され、複数の吐水モードが切り換えられるようになっている。図１に示すように、指かけ凸部６ｂを散水部２ｂに向けた状態では、スプレー吐水モードが選択される。また、図１に示す状態から、操作部６を右へ９０°回動させるとジャイロビート吐水が選択され、操作部６を左へ９０°回動させると滝状吐水が選択される。なお、ハンドシャワーヘッド１においては、常に何れかの吐水モードが選択され、全ての弁が同時に閉鎖されることはない。
【００２７】
次に、図２乃至図８を参照して、本発明の実施形態によるハンドシャワーヘッド１の内部構造を説明する。
図２は、本発明の実施形態によるハンドシャワーヘッドの断面図である。
図２に示すように、シャワーヘッド本体２には、通水路形成部材８と、この通水路形成部材８の先端部に接続された水路切換装置１０と、この水路切換装置１０の先端部に取り付けられた第１散水室形成部材１２と、が内蔵されている。さらに、シャワーヘッド本体２には、第１散水室形成部材１２を覆うように取り付けられた第２散水室形成部材１４と、散水板４の背面側に配置された第３散水室形成部材１６と、この第３散水室形成部材１６の背面側に配置された散水ノズル形成部材１８と、が内蔵されている。また、シャワーヘッド本体２には、ジャイロビート吐水を行うための回転ノズル２０と、この回転ノズル２０を支持する回転ノズル支持部材２２と、が内蔵されている。
【００２８】
通水路形成部材８は、細長い筒状の部材であり、その基端部には、シャワーホース（図示せず）に接続される接続部８ａが形成されている。また、第１通水路形成部材８の先端部８ｂには、水路切換装置１０が接続されている。通水路形成部材８と水路切換装置１０の間にはＯリングが配置され、これらの間の水密性が確保されている。水路切換装置１０の詳細については後述する。
【００２９】
第１散水室形成部材１２は、水路切換装置１０の先端側（下流側）に接続される箱状の部材であり、散水板４の背面側に内蔵されている。第１散水室形成部材１２と水路切換装置１０の間にはＯリングが配置され、これらの部材の間の水密性が確保されている。第１散水室形成部材１２の内部には第１水路１２ａ、第２水路１２ｂ、及び第３水路１２ｃ（図５にも図示）が形成されている。水路切換装置１０から流出した湯水は、これらの第１水路１２ａ、第２水路１２ｂ、及び第３水路１２ｃを通って、スプレー吐水用の散水孔４ｂ、ジャイロビート吐水用の散水孔４ａ、滝状吐水用の散水孔４ｃに夫々導かれるようになっている。また、第１散水室形成部材１２の散水板４側は開放されており、この開放部を覆うように第２散水室形成部材１４が取り付けられている。
【００３０】
第２散水室形成部材１４は、第１散水室形成部材１２の開放部を覆うように配置される概ね円板状の部材である。第２散水室形成部材１４の中央には、第２水路１２ｂと連通するように凹部１４ａが設けられ、この凹部１４ａの中にジャイロビート吐水用の回転ノズル２０が回転可能に配置される。また、第２散水室形成部材１４には、第１水路１２ａと連通するように貫通穴１４ｂが設けられており、この貫通穴１４ｂを通った湯水がスプレー吐水用の散水孔４ｂから吐出される。さらに、第２散水室形成部材１４には、第３水路１２ｃと連通するように貫通穴１４ｃが設けられており、この貫通穴１４ｃを通った湯水が滝状吐水用の散水孔４ｃから吐出される。
【００３１】
第３散水室形成部材１６は、散水板４の背面側に重なるように配置される概ね円板状の部材である。この第３散水室形成部材１６の背面側と、第２散水室形成部材１４の正面側との間の空間が、スプレー吐水用の散水室を形成する。
【００３２】
散水ノズル形成部材１８は、ゴム製の概ね円板状の部材であり、第２散水室形成部材１４と第３散水室形成部材１６の間に配置される。散水ノズル形成部材１８には多数のスプレー吐水用の散水ノズル１８ａが設けられている。これらの散水ノズル１８ａは、散水板４に設けられた多数の散水孔４ｂ、及びこれらの散水孔４ｂと夫々整合するように第３散水室形成部材１６に設けられた多数の孔を通ってハンドシャワーヘッド１の外部に突出している。また、散水ノズル形成部材１８には、ハンドシャワーヘッド１の先端側に位置するように、滝状吐水用の散水ノズル１８ｂが設けられている。この散水ノズル１８ｂは、散水板４に設けられた円弧状の散水孔４ｃ、及びこの散水孔４ｃと整合するように第３散水室形成部材１６に設けられた円弧状の孔を通ってハンドシャワーヘッド１の外部に突出している。なお、散水ノズル形成部材１８はゴム製であるため、第２散水室形成部材１４の縁部１４ｄに押し付けられることにより、それらの間の水密性が確保される。
【００３３】
回転ノズル２０は、概ね円柱状の部材であり、その軸線方向に３本のジャイロビート吐水用の散水ノズル孔２０ａが設けられている。また、回転ノズル支持部材２２は、回転ノズル２０を回転可能に支持する概ね円筒状の部材である。回転ノズル支持部材２２は、その内部に回転ノズル２０を回転可能に受け入れ、支持すると共に、第２散水室形成部材１４に設けられた凹部１４ａに嵌め込まれている。第１散水室形成部材１２の第２水路１２ｂに湯水が流入すると、その水勢により、回転ノズル２０が回転ノズル支持部材２２の中ですりこぎ運動（歳差運動）され、これにより螺旋を描くように吐水が行われる。
【００３４】
次に、図３乃至図９を新たに参照して、本発明の実施形態によるハンドシャワーヘッド１に内蔵されている水路切換装置１０を説明する。
図３は、ハンドシャワーヘッドに内蔵されている水路切換装置の部分を拡大して示す断面図である。図４は、ハンドシャワーヘッドに内蔵されている水路切換装置の分解斜視図である。図５は、ハンドシャワーヘッド内において切り換えられる水路を示す断面図である。図６は、水路切換装置に内蔵されている弁体の斜視図である。図７は、水路切換装置に備えられているカム部材の下面側を示す斜視図である。図８は、図７におけるVIII−VIII線に沿ったカム部材の断面図である。
【００３５】
図３及び図４に示すように、水路切換装置１０は、水路切換装置本体２４と、この水路切換装置本体２４の内部に摺動可能に配置された第１弁体２６ａ、第２弁体２６ｂ、及び第３弁体２６ｃと、これらの弁体により開閉される３つの弁座が形成された弁座形成部材２８と、を有する。
【００３６】
さらに、水路切換装置１０は、円板状の支持部材３２と、円板状のカム部材３４と、円板状のカムガイド部材３６と、３本の弁作動軸４０ａ、４０ｂ、４０ｃと、カム押さえリング４２と、カム回転軸４４と、を有する。
【００３７】
図３乃至図５に示すように、水路切換装置本体２４は、通水路形成部材８を通過した湯水が流入するように構成された概ね筒型の部材である。水路切換装置本体２４の内部には、第１弁体２６ａ、第２弁体２６ｂ、及び第３弁体２６ｃの３つの弁体が、ハンドシャワーヘッド１の幅方向に平行に並べて配置されている。また、これら３つの弁体は、ハンドシャワーヘッド１の長手方向に摺動可能に支持され、開弁位置と閉弁位置の間で移動可能になっている。通水路形成部材８から流入した湯水は、第１、第２、第３弁体のうちの開弁された弁座を通って水路切換装置１０から流出される。即ち、本実施形態においては、第１、第２、第３弁体からなる複数のリフト弁により、水路が切り換えられる。
【００３８】
図６に示すように、第１弁体２６ａは、着座部２７ａと、この着座部２７ａの背面側に形成された着座部支持部である支持フレーム部２７ｂと、この支持フレーム部２７ｂの両側面に設けられた摺動突起２７ｃと、支持フレーム部２７ｂの背面側に形成されたバネ取付部２７ｄ、を有する。また、図５に示すように、第１弁体２６ａ、第２弁体２６ｂ、及び第３弁体２６ｃは、シャワーヘッド本体２の把持部２ａから散水部２ｂへ延びるように、シャワーヘッド本体２内に配置されている。即ち、各弁体の支持フレーム部はシャワーヘッド本体２の把持部２ａ内に収容され、着座部は散水部２ｂ内に収容されている。
【００３９】
着座部２７ａは、第１弁体２６ａの先端に設けられた円板状の部分であり、この着座部２７ａの先端部が弁座形成部材２８に着座することにより、弁座形成部材２８に設けられた弁孔が閉鎖される。
【００４０】
支持フレーム部２７ｂは、着座部２７ａの背面側に形成された直方体状のフレームである。着座部２７ａは支持フレーム部２７ｂにより支持され、支持フレーム部２７ｂが移動軸線に沿って移動されることにより、着座部２７ａは開弁位置と閉弁位置の間で移動され、弁座形成部材２８の適正な位置に着座される。
【００４１】
摺動突起２７ｃは、支持フレーム部２７ｂの両側面に夫々設けられた細長い突起である。摺動突起２７ｃは、水路切換装置本体２４の内部に設けられた細長いガイド部２４ａ（図５）に沿って摺動される。これにより、第１弁体２６ａは、水路切換装置本体２４内で直線移動される。
【００４２】
バネ取付部２７ｄは、支持フレーム部２７ｂの背面側に形成された円形断面の突起であり、このバネ取付部２７ｄがコイルバネ５４（図５）の内側に嵌め込まれることにより、第１弁体２６ａにコイルバネ５４が取り付けられる。第１弁体２６ａはコイルバネ５４により、閉弁位置の方に付勢される。
【００４３】
さらに、支持フレーム部２７ｂの内側には、移動方向変換手段である傾斜平面２７ｅが設けられている。傾斜平面２７ｅは、支持フレーム部２７ｂの内側に一体に形成された傾斜した平面部分である。後述するように、この傾斜平面２７ｅが弁作動軸４０ａの先端で押圧されることにより、第１弁体２６ａは開弁方向に駆動される。このように、第１弁体２６ａは、支持フレーム部２７ｂの中心を通る移動軸線に沿って移動可能に支持され、着座部２７ａは開弁位置と閉弁位置の間で移動可能に支持される。
【００４４】
また、第２弁体２６ｂ及び第３弁体２６ｃも、図４、図５に示すように、第１弁体２６ａと概ね同様の構成を有しているが、第１弁体の両側に配置された第２、第３弁体では、弁座を開閉する着座部と、これを支持する支持フレーム部がオフセットするように構成されており、全体としてＬ字型に形成されている。即ち、第１弁体２６ａは、その支持フレーム部２７ｂの中心を通る移動軸線と、着座部２７ａの中心軸線が一致するように、直線的に構成されている。これに対し、第２弁体２６ｂは、着座部が第１弁体から遠ざかるように屈曲して形成され、その支持フレーム部の中心を通る移動軸線と、着座部の中心軸線がオフセットしている（図５）。同様に、第３弁体２６ｃも、着座部が第１弁体から遠ざかるように屈曲して形成され、その支持フレーム部の中心を通る移動軸線と、着座部の中心軸線がオフセットしている（図５）。
【００４５】
このように、第１、第２、第３弁体の各移動軸線、及びそれらの着座部の各中心軸線は、夫々平行に向けられている。さらに、各中心軸線の間隔は、各移動軸線の間隔よりも広く形成されている。これにより、第１、第２、第３弁体を夫々駆動するための各支持フレーム部を近接して集約的に配置しながら、着座部の中心軸線の間隔を広くとることができ、各着座部及びこれらが着座する弁孔を十分に大きくすることができる。
【００４６】
また、第２、第３弁体においては、コイルバネ５４が着座部背面の中心軸線上に取り付けられ、これらのコイルバネ５４により、第２、第３弁体は、閉弁位置の方に夫々付勢される。さらに、第２弁体２６ｂ及び第３弁体２６ｃの支持フレーム部にも、第１弁体２６ａと同様に、傾斜平面が設けられており、これらの傾斜平面が、弁作動軸４０ｂ、４０ｃによって夫々押圧されることにより、第２、第３弁体が開弁方向に駆動される。
なお、第１弁体２６ａ、第２弁体２６ｂ及び第３弁体２６ｃは、その傾斜平面２７ｅが夫々同一の形態に構成されている。このため、第１、第２、第３弁体は、対応する各弁作動軸の同一の移動距離に対して、同じ距離だけ移動される。
【００４７】
弁座形成部材２８は、図４に示すように、概ね長円形の板状の部材であり、３つの弁孔２８ａ、２８ｂ、２８ｃが一直線上に等間隔に形成されている。これら３つの弁孔の周囲に弁座が形成されており、第１弁体２６ａ、第２弁体２６ｂ、第３弁体２６ｃが夫々着座する。
【００４８】
支持部材３２は、図３、図４に示すように、水路切換装置本体２４の図３における上側（ハンドシャワーヘッド１の散水板の側）に配置される円板状の部材である。また、支持部材３２には、３本の弁作動軸４０ａ、４０ｂ、４０ｃを夫々案内するための円筒部３２ａ、３２ｂ、３２ｃが設けられている。これらの円筒部３２ａ、３２ｂ、３２ｃは、カム回転軸４４を中心とする円周上に、中心角９０°ずつ隔てて配置されている。また、各円筒部３２ａ、３２ｂ、３２ｃを夫々取り囲むように、３つのコイルバネ４８が夫々配置される。さらに、各コイルバネ４８の上端には、各弁作動軸４０ａ、４０ｂ、４０ｃに形成された鍔部が当接されている。このため、各弁作動軸４０ａ、４０ｂ、４０ｃは、コイルバネ４８により、円筒部３２ａ、３２ｂ、３２ｃに沿って初期位置（図３における上方）に向けて付勢される。一方、各円筒部３２ａ、３２ｂ、３２ｃは、水路切換装置本体２４に設けられた３つの円形穴２４ｂと整合する位置に設けられている。このため、各弁作動軸４０ａ、４０ｂ、４０ｃの下端部は、各円筒部３２ａ、３２ｂ、３２ｃ、及び各円形穴２４ｂを通して、水路切換装置本体２４の内部まで延びている。
【００４９】
カムガイド部材３６は、下側が開放した概ね円形皿状の部材であり、支持部材３２の上面を覆うように配置される。また、カムガイド部材３６には、支持部材３２の各円筒部と整合する位置に３つの穴３６ａが形成されており、各弁作動軸４０ａ、４０ｂ、４０ｃの上端部は、これらの穴を通して上方に突出する。さらに、カムガイド部材３６の中心にはカム回転軸４４を通すための軸穴３６ｂが形成されており、カム回転軸４４はカムガイド部材３６を貫通して上方に突出している。また、カム回転軸４４には鍔部４４ａが形成されており、この鍔部４４ａが支持部材３２とカムガイド部材３６の間に挟まれることにより、カム回転軸４４は固定される。
【００５０】
カム部材３４は、下側が開放した概ね円形皿状の部材であり、その下面側にカムが形成されている。なお、カムの構成については後述する。また、カム部材３４は、カムガイド部材３６の上部を覆うように配置され、カムガイド部材３６上端の摺動面３６ｃによって案内される。カム部材３４の中心には、カム回転軸４４を受け入れるための軸受け穴３４ａが形成されており、カム部材３４は、カム回転軸４４を中心に回動可能に支持される。また、カム回転軸４４の先端部には抜け止め金具４３が取り付けられており、抜け止め金具４３により、カム部材３４のカム回転軸４４からの抜けが防止される。さらに、カム部材３４の上面には４つの受け部３４ｃが形成されており、これらの受け部３４ｃが操作部６に設けられた４つの突起６ｃと夫々係合することにより、操作部６がカム部材３４にスナップ止めされる。これにより、カム部材３４は、操作部６と一体となって回動される。
【００５１】
カム押さえリング４２は概ね円環状の部材であり、支持部材３２、カムガイド部材３６及びカム部材３４の外周部を覆うように、水路切換装置本体２４に固定される。カム部材３４の上端部はカム押さえリング４２の開口部４２ａを通して上方に突出される一方、カム部材３４の外周縁部３４ｂは、カム押さえリング４２上端の縁部４２ｂと係合され、カム部材３４のカムガイド部材３６からの浮き上がりが防止される。
【００５２】
次に、図７及び図８を参照して、カム部材の構成及びクリック機構を詳細に説明する。
図７に示すように、カム部材３４の下面側には小穴３４ｄが設けられ、この小穴３４ｄには、ピン４６（図４）が挿入される。ピン４６はカム部材３４の下面側から下方に突出し、カムガイド部材３６の上面に設けられた円弧状凹部３６ｄ（図４）に受け入れられる。円弧状凹部３６ｄは、軸穴３６ｂの外側に、中心角約１８０°に亘って形成された円弧状の窪みである。ピン４６が円弧状凹部３６ｄの中に受け入れられた状態で、カム部材３４が回動されるため、カム部材３４の回動可能範囲は約１８０°に制限される。
【００５３】
また、カムガイド部材３６の内側には、山形に折り曲げられた板バネ５０（図４）が配置される。この状態において、板バネ５０中央の屈曲部５０ａは、カムガイド部材３６の側面に設けられた窓３６ｅ（図４）から、半径方向外方に突出する。一方、図７に示すように、カム部材３４の内側側面３箇所には、クリック溝３４ｅが夫々形成されている。各クリック溝３４ｅは、中心角約１８０°の区間に、中心角約９０°ずつ隔てて配置されており、この約１８０°の区間の回動が円弧状凹部３６ｄによって許容されている。各クリック溝３４ｅに、板バネ５０の屈曲部５０ａが受け入れられることにより、カム部材３４は所定の力でその位置に保持される。この保持力を超える力（トルク）がカム部材３４（操作部６）に加えられると、カム部材３４が回動される。これにより、操作部６の回動にクリック感が与えられる。従って、板バネ５０及び各クリック溝３４ｅはクリック機構を構成する。
【００５４】
さらに、図７、図８に示すように、カム部材３４の下面側には、軸受け穴３４ａを中心とした円環状のカム溝３８が形成されている。カム溝３８は、カム回転軸４４を中心とする円の円周上に配置された３本の弁作動軸４０ａ、４０ｂ、４０ｃ（図４）の上端部を夫々受け入れるように構成されている（図３）。なお、各弁作動軸４０ａ、４０ｂ、４０ｃは、コイルバネ４８の付勢力によりカム溝３８の中に押し込まれている。また、カム溝３８は、その頂上部３８ａにおいて最も浅く、この頂上部３８ａの両側に形成された斜面部３８ｂを介して次第に深くなり、頂上部３８ａの反対側の基底部３８ｃでは最も深くなっている。
【００５５】
ここで、図３は、カム溝３８の頂上部３８ａが、弁作動軸４０ａと整合した状態を示している。図３に示すように、弁作動軸４０ａとカム溝３８の頂上部３８ａが整合した状態において、弁作動軸４０ａは、図３における最も下方に突出した状態となる。この状態から、操作部６が操作され、カム部材３４が何れかの方向に回動されると、弁作動軸４０ａはカム溝３８の斜面部３８ｂと整合されるようになるため、カム溝３８は次第に深くなり、弁作動軸４０ａは図３における上方に移動される。同様に、カム溝３８に受け入れられている他の２本の弁作動軸４０ｂ、４０ｃについても、それらが頂上部３８ａに整合しているとき最も下方に突出した状態となり、頂上部３８ａから離間すると共に次第に突出量が減少する。
また、上述したクリック機構は、頂上部３８ａと各弁作動軸４０ａ、４０ｂ、４０ｃが整合する各使用位置に、カム部材３４を所定の力で保持するように構成されている。
【００５６】
次に、各弁体の開閉機構を説明する。
図３に示すように、支持部材３２によって案内される弁作動軸４０ａは、支持部材３２の円筒部３２ａの中を通って、下方（水路切換装置本体２４の方向）に突出する。突出した弁作動軸４０ａは、水路切換装置本体２４に設けられた円形穴２４ｂ（図４）を通って水路切換装置本体２４の内部に挿入され、挿入された弁作動軸４０ａの先端は、第１弁体２６ａに当接する。また、各円形穴２４ｂにはドーナツ状のパッキン５２が配置され、弁作動軸４０ａと水路切換装置本体２４の間の水密性が確保されている。
【００５７】
この構成により、カム部材３４（操作部６）が、頂上部３８ａと弁作動軸４０ａが整合する位置に回動されると、弁作動軸４０ａが下方に移動され、弁作動軸４０ａの先端が第１弁体２６ａの傾斜平面２７ｅを押圧する。これにより、第１弁体２６ａは開弁位置まで駆動される。なお、カム部材３４の頂上部３８ａは、所定の幅をもって一定の高さに形成されているため、カム部材３４の所定範囲の回動に対して第１弁体２６ａは開弁位置に維持される。
【００５８】
同様の構成により、カム部材３４（操作部６）が、頂上部３８ａと弁作動軸４０ｂが整合する位置に回動されると、弁作動軸４０ｂは第２弁体２６ｂに設けられた傾斜平面を押圧して、第２弁体２６ｂを開弁位置まで駆動する。カム部材３４（操作部６）が、頂上部３８ａと弁作動軸４０ｃが整合する位置に回動されると、弁作動軸４０ｃは第３弁体２６ｃに設けられた傾斜平面を押圧して、第３弁体２６ｃを開弁位置まで駆動する。
【００５９】
まず、図１、図２及び図５を参照して、ハンドシャワーヘッド１の作用の概略を説明する。
図１に示すように、ハンドシャワーヘッド１の操作部６に設けられている指かけ凸部６ｂの低い側を散水板４の側に向けると、第１弁体２６ａが開弁状態となり、吐水が開始される。第１弁体２６ａが開弁状態にされると、図２、図５に矢印で示すように、通水路形成部材８から水路切換装置１０に流入した湯水は、第１弁体２６ａの周囲を通って弁座形成部材２８の弁孔２８ａに流入する。弁孔２８ａを通過した湯水は、第１散水室形成部材１２の第１水路１２ａに流入し、第１水路１２ａと連通するように形成された第２散水室形成部材１４の貫通穴１４ｂ（図２）を通って、第２散水室形成部材１４と散水ノズル形成部材１８の間の空間に流入する。この空間に流入した湯水は、散水ノズル形成部材１８に設けられた多数の散水ノズル１８ａからスプレー吐水される。
【００６０】
次いで、使用者が、操作部６を図１における右側に９０°回動させると、開弁されていた第１弁体２６ａは閉弁位置に移動される一方、第２弁体２６ｂが開弁位置に移動される。なお、第１弁体２６ａが閉弁位置に移動され、第２弁体２６ｂが開弁位置に移動されるまでの間の作用は後述する。第２弁体２６ｂが開弁位置に移動されると、水路切換装置１０に流入した湯水は、第２弁体２６ｂの周囲を通って弁座形成部材２８の弁孔２８ｂに流入する。弁孔２８ｂを通過した湯水は、第１散水室形成部材１２の第２水路１２ｂに流入する。第２水路１２ｂに流入した湯水は、第２水路１２ｂと連通するように形成された第２散水室形成部材１４の貫通穴１４ａ（図２）を通って、回転ノズル２０の散水ノズル孔２０ａから吐出される。回転ノズル２０は第１水路１２ａに流入した湯水の水勢により、すりこぎ状に回転運動され、散水ノズル孔２０ａから吐出される湯水は、螺旋を描くジャイロビート吐水となる。
【００６１】
さらに、図１に示す状態から、使用者が、操作部６を図１における左側に９０°回動させると、開弁されていた第１弁体２６ａは閉弁位置に移動される一方、第３弁体２６ｃが開弁位置に移動される。第３弁体２６ｃが開弁位置に移動されると、水路切換装置１０に流入した湯水は、第３弁体２６ｃの周囲を通って弁座形成部材２８の弁孔２８ｃに流入する。弁孔２８ｃを通過した湯水は、第１散水室形成部材１２の第３水路１２ｃに流入する。第３水路１２ｃに流入した湯水は、第３水路１２ｃと連通するように形成された第２散水室形成部材１４の貫通穴１４ｃ（図２）から流出する。貫通穴１４ｃから流出した湯水は、貫通穴１４ｃと向かい合うように散水ノズル形成部材１８に設けられた円弧状の散水ノズル１８ｂから滝状吐水される。
【００６２】
次に、図９及び図１０を新たに参照して、本発明の実施形態によるハンドシャワーヘッド１の作用を説明する。
図９は、水路切換装置１０の作用を示す説明図であり、カム部材３４に設けられた円環状のカム溝３８を平面上に展開して模式的に示すと共に、カム溝３８とそれに沿って配置された各弁作動軸の位置関係を示した図である。図１０は、第１の吐水モードから第２の吐水モードへの切り換え途中における、各弁の流路断面積の変化を示す図である。
【００６３】
まず、図９（ａ）の状態においては、カム溝３８の頂上部３８ａが弁作動軸４０ａに整合している。この状態を、カム部材３４の回転位置θ＝０°とし、このカム部材３４の位置を第１の吐水モード位置とする。この状態においては、弁作動軸４０ａは最も下方に突出された状態にあり、これに対応した第１弁体２６ａは開弁位置に位置している。一方、弁作動軸４０ｂ、４０ｃはカム溝３８の基底部３８ｃに当接されており、これらに対応した第２弁体２６ｂ及び第３弁体２６ｃは閉弁位置に位置する。これにより、第１の吐水モードであるスプレー吐水モードが選択される。
【００６４】
次に、図９（ａ）の状態から、操作部６（カム部材３４）を、図１における右側に回動させると、図９（ｂ）に示す状態となる（カム部材３４の回転位置θ＝４５°）。図９（ｂ）に示す状態においては、弁作動軸４０ｂがカム溝３８の斜面部３８ｂにさしかかる一方、頂上部３８ａと整合されていた弁作動軸４０ａは頂上部３８ａから外れ、反対側の斜面部３８ｂと当接する。これにより、弁作動軸４０ｂが下方に移動される一方、弁作動軸４０ａは上方に移動される。これにより、弁作動軸４０ａに対応する第１弁体２６ａ、及び弁作動軸４０ｂに対応する第２弁体２６ｂは夫々半開状態となる。頂上部３８ａ及び斜面部３８ｂがこのように形成されているため、吐水モードの切り換え途中において、全ての弁体が同時に閉弁位置に移動されることはない。この状態においては、第１弁体２６ａが弁孔２８ａからリフトすることによるスプレー吐水、及び第２弁体２６ｂが弁孔２８ｂからリフトすることによるジャイロビート吐水の両方が同時に行われる。このように、本実施形態においては、カム部材３４が回動可能範囲内の如何なる位置に回動された状態であっても、常に、少なくとも１つの弁体が弁孔からリフトされた状態となる。
【００６５】
図９（ｂ）に示す状態から操作部６が更に回動されると、図９（ｃ）に示す状態となる（カム部材３４の回転位置θ＝９０°）。このカム部材３４の位置を第２の吐水モード位置とする。この状態においては、カム溝３８の頂上部３８ａが弁作動軸４０ｂに整合し、弁作動軸４０ａ、４０ｃはカム溝３８の基底部３８ｃに当接される。図９（ｃ）の状態においては、弁作動軸４０ｂは最も下方に突出された状態にあり、これに対応した第２弁体２６ｂは開弁位置に位置している。一方、第１弁体２６ａ及び第３弁体２６ｃは閉弁位置に位置する。これにより、第２の吐水モードであるジャイロビート吐水モードが選択される。
【００６６】
次に、図１０を参照して、図９（ａ）〜（ｃ）の各状態における弁の流路断面積を説明する。図１０において、第１弁体２６ａが弁孔２８ａからリフトして開弁されることにより形成される流路断面積を破線で、第２弁体２６ｂが弁孔２８ｂからリフトして開弁されることにより形成される流路断面積を一点鎖線で、これらの流路断面積の和を実線で示す。
【００６７】
図１０に示すように、カム部材３４の回転位置θ＝０°の状態（図９（ａ）の状態）においては、第１弁体２６ａは開弁位置にあり、第２弁体２６ｂは閉弁位置にある。この状態は、回転位置θ＝約３０°まで維持される。回転位置θ＝約３０°を超えると、弁作動軸４０ｂがカム溝３８の斜面部３８ｂにさしかかり、第２弁体２６ｂが開弁位置に向けて移動し始め、第２弁体２６ｂがリフトすることによる流路断面積（図１０の一点鎖線）がθの増加と共に増大する。一方、回転位置θ＝約３０°〜４０°の間は第１弁体２６ａは開弁位置に維持されるため、第１弁体２６ａがリフトすることによる流路断面積と第２弁体２６ｂがリフトすることによる流路断面積の和（図１０の実線）は増大する。
【００６８】
さらに、カム部材３４の回転位置θ＝４０°を超えると、弁作動軸４０ａがカム溝３８の頂上部３８ａから外れて斜面部３８ｂに当接し、第１弁体２６ａは閉弁位置に向けて移動し始める。これにより、第１弁体２６ａがリフトすることによる流路断面積（図１０の破線）はθの増加と共に減少する。このように、回転位置θ＝５０°までの間は、第１弁体２６ａがリフトすることによる流路断面積は減少し、第２弁体２６ｂがリフトすることによる流路断面積は増大する。回転位置θ＝５０°を超えると、弁作動軸４０ｂは頂上部３８ａに到達し、第２弁体２６ｂは開弁位置まで移動される。さらに、回転位置θ＝６０°に達すると、弁作動軸４０ａはカム溝３８の基底部３８ｃと当接されるようになり、第１弁体２６ａは閉弁位置まで移動される。
【００６９】
このように、本実施形態のハンドシャワーヘッド１においては、第１の吐水モードであるスプレー吐水モードから第２の吐水モードであるジャイロビート吐水モードに切り換えられる途中において、第１弁体２６ａ及び第２弁体２６ｂの少なくとも一方が常に開弁された状態にされている。なお、上記においては、第１の吐水モードがスプレー吐水モードであり、第２の吐水モードがジャイロビート吐水モードである場合を例として、これらの間の切り換えを説明した。しかしながら、本実施形態のハンドシャワーヘッド１においては、切り換え可能な各吐水モード相互間において、切り換えにより作動される２つの弁体のうち、少なくとも一方の弁体が常に開弁された状態にされる。
【００７０】
本実施形態のハンドシャワーヘッド１においては、シャワーヘッド本体２内の給水圧力が弁体を閉弁位置に維持するように作用するセルフシール式の弁体が使用されている。しかしながら、第１の吐水モード（例えば、スプレー吐水モード）から第２の吐水モード（例えば、ジャイロビート吐水モード）に切り換えられる途中において、少なくとも一方の弁が常に開弁された状態にされているため、シャワーヘッド本体２内に給水圧が籠もり、圧力が過度に上昇することがない。このため、閉弁位置にある弁体を開弁方向に移動させるために必要とされる操作力が小さく、容易に吐水モードを切り換えることができる。
【００７１】
本発明の実施形態のハンドシャワーヘッド１によれば、吐水モードの切り換え途中において、弁体の少なくとも一方が常に開弁されている（図１０）ので、シャワーヘッド本体２内の圧力が過度に上昇することがなく、小さな操作力で吐水モードを切り換えることができる。本実施形態のハンドシャワーヘッド１においては、吐水モードの切り換え途中においても常に何れかの弁が開弁されているので、シャワーヘッド本体２内の圧力は給水圧よりも十分に低く維持され、小さな操作力で円滑に吐水モードを切り換えることができる。また、ウォータハンマ現象による異音の発生も防止することができる。
【００７２】
また、本実施形態のハンドシャワーヘッド１においては、カム部材３４が第１の吐水モード位置から第２の吐水モード位置に移動される途中においては、頂上部３８ａの両側の各斜面部３８ｂが、第１の弁作動軸（弁作動軸４０ａ）及び第２の弁作動軸（弁作動軸４０ｂ）に夫々当接して（図９（ｂ））、第１の弁体（第１弁体２６ａ）及び第２の弁体（第２弁体２６ｂ）が開弁された状態にされる。これにより、吐水モードの切り換え途中における各弁の開度が、カム部材３４の形状と各弁作動軸４０ａ、４０ｂ、４０ｃの配置により正確に規定されるので、全ての弁が同時に閉弁される状態を確実に回避することができる。
【００７３】
さらに、本実施形態のハンドシャワーヘッド１によれば、頂上部３８ａが所定の幅をもって形成されている（図９）ので、カム部材３４が所定範囲の回動位置にあるとき弁体が開弁位置に維持されるので、各部品の寸法誤差、形状誤差に影響されることなく、弁体を安定して開弁位置に保持することができる。
【００７４】
また、本実施形態のハンドシャワーヘッド１によれば、吐水モードの切り換え途中において、開弁されている流路断面積の和が大きくなる（図１０）。このため、切り換え途中において吐水される総流量が増加するので、シャワーを浴びている使用者は吐水モードの切り換えが開始されたことを感覚的に認識することができる。また、切り換え途中においても十分な流量で吐水が継続されるため、切り換え途中の状態でハンドシャワーヘッド１を使用することもできる。
【００７５】
さらに、本実施形態のハンドシャワーヘッド１によれば、第１弁体２６ａ、第２弁体２６ｂ、第３弁体２６ｃは弁作動軸４０ａ、４０ｂ、４０ｃの同一の移動距離に対して同じ距離だけ移動されるので、同一のカムで各吐水モードにおける吐水流量を一様に制御することができる。
【００７６】
また、本実施形態のハンドシャワーヘッド１によれば、弁作動軸４０ａ、４０ｂ、４０ｃが中心軸線を中心とする円の円周上に配置されている（図４）ので、各弁作動軸間の距離を十分に確保しながら、吐水モードの切り換え機構全体をコンパクトに配置することができる。これにより、ハンドシャワーヘッド１の操作性を向上させることができる。
【００７７】
さらに、本実施形態のハンドシャワーヘッド１によれば、操作部６の指かけ凸部６ｂが散水部２ｂから把持部２ａに向けて高さが高くなるように形成されている（図１）ので、回動される操作部６がどの方向に向けられた状態にあるかを、使用者は指の感触で認識することができ、ハンドシャワーヘッド１の操作性を向上させることができる。
【００７８】
また、本実施形態のハンドシャワーヘッド１によれば、クリック機構（板バネ５０、クリック溝３４ｅ）が備えられているので、使用者は、吐水モードの切り換えが開始されたこと、吐水モードの切り換えが完了したことを、指の感触で確実に認識することができ、ハンドシャワーヘッド１の操作性を向上させることができる。
【００７９】
以上、本発明の好ましい実施形態を説明したが、上述した実施形態に種々の変更を加えることができる。特に、上述した実施形態においては、水路切換装置により３つの弁体が開閉されていたが、水路切換装置により開閉する弁体は、２つ、或いは４つ以上であっても良い。
また、上述した実施形態においては、セルフシール式の弁体が使用されていたが、任意の形式の弁体を使用することができる。さらに、上述した実施形態においては、操作部とカム部材は別々の部品で構成されていたが、操作部とカム部材を一体に構成することもできる。
【００８０】
また、上述した実施形態においては、カム部材に設けられたカム溝は円環状であり、カム部材は回動可能に構成されていたが、例えば、カムを直線状に形成し、カム部材を直線的に移動させることにより、吐水モードが切り換えられるように本発明を構成することもできる。
【符号の説明】
【００８１】
１    本発明の実施形態によるハンドシャワーヘッド
２    シャワーヘッド本体
２ａ  把持部
２ｂ  散水部
２ｃ  開口部
４    散水板
４ａ  散水孔
４ｂ  散水孔
４ｃ  散水孔
６    操作部
６ａ  円板部
６ｂ  指かけ凸部
６ｃ  突起
８    通水路形成部材
８ａ  接続部
８ｂ  先端部（開閉機構本体）
１０    水路切換装置
１２    第１散水室形成部材
１２ａ  第１水路
１２ｂ  第２水路
１２ｃ  第３水路
１４    第２散水室形成部材
１４ａ  凹部
１４ｂ  貫通穴
１４ｃ  貫通穴
１４ｄ  縁部
１６    第３散水室形成部材
１８    散水ノズル形成部材
１８ａ  散水ノズル
１８ｂ  散水ノズル
２０    回転ノズル
２０ａ  散水ノズル孔
２２    回転ノズル支持部材
２４    水路切換装置本体
２４ａ  ガイド部
２４ｂ  円形穴
２６ａ  第１弁体
２６ｂ  第２弁体
２６ｃ  第３弁体
２７ａ  着座部
２７ｂ  支持フレーム部（着座部支持部）
２７ｃ  摺動突起
２７ｄ  バネ取付部
２７ｅ  傾斜平面
２８    弁座形成部材
２８ａ、２８ｂ、２８ｃ  弁孔
３２    支持部材
３２ａ、３２ｂ、３２ｃ  円筒部
３４    カム部材
３４ａ  軸受け穴
３４ｂ  外周縁部
３４ｃ  受け部
３４ｄ  小穴
３４ｅ  クリック溝
３６    カムガイド部材
３６ａ  穴
３６ｂ  軸穴
３６ｃ  摺動面
３６ｄ  円弧状凹部
３６ｅ  窓
３８    カム溝
３８ａ  頂上部
３８ｂ  斜面部
３８ｃ  基底部
４０ａ、４０ｂ、４０ｃ  弁作動軸
４２    カム押さえリング
４２ａ  開口部
４２ｂ  縁部
４３    抜け止め金具
４４    カム回転軸
４４ａ  鍔部
４６    ピン
４８    コイルバネ
５０    板バネ
５０ａ  屈曲部
【要約】      （修正有）【課題】小さな操作力で吐水モードを切り換えることができるハンドシャワーヘッドを提供する。【解決手段】複数の吐水モードを切換可能なハンドシャワーヘッドであって、把持部及びこの把持部の先端側に設けられた散水部を有するシャワーヘッド本体と、把持部に設けられ、吐水モードを切り換える単一の操作部６と、操作部の操作によって移動されるカム部材３４と、このカム部材に当接することにより、所定の方向に夫々移動される複数の弁作動軸４０ａ、４０ｂ、４０ｃと、これらの弁作動軸の移動に伴って開弁位置と閉弁位置の間で夫々移動可能な複数の弁体２６ａ、２６ｂ、２６ｃと、を有し、カム部材３４は、第１の吐水モード位置から第２の吐水モード位置に移動される途中において、第１の弁体２６ａ及び第２の弁体２６ｂの少なくとも一方が常に開弁された状態となるように構成されている。【選択図】図４【図１】
0005614734.tif 000002
【図２】
0005614734.tif 000003
【図３】
0005614734.tif 000004
【図４】
0005614734.tif 000005
【図５】
0005614734.tif 000006
【図６】
0005614734.tif 000007
【図７】
0005614734.tif 000008
【図８】
0005614734.tif 000009
【図９】
0005614734.tif 000010
【図１０】
0005614734.tif 000011